(57)【要約】      （修正有）【課題】簡単な構造の切換手段を備えた部品数の少ない切換コックを提供すること。【解決手段】少なくとも１つの注入路及び配水路が形成された外装体１７と、第１、第２開口が形成された支持体１３と、これらに回転自在に支持された切換手段２と、切換手段２の回転軸と接続された操作手段２７とを備えた切換コック１であって、切換手段２は、有底の第１筒状体と、この中心部に第１筒状体の径より小さく、長めの有底の第２筒状体を有し、各底部が一体に形成され、第１、第２筒状体には、２つの流入口と２つの流出口が形成され、各流入口と各流出口とがそれぞれ連通された第１流路と第２流路とを有し、第１流路と第２流路は互いに連通されておらず、操作手段２７により、外装体１７の注入路及び配水路と切換手段２の流入口及び流出口がそれぞれ連通される。【選択図】図１０
2011027198.tif 000002
【特許請求の範囲】
【請求項１】
外付けの液体供給装置から液体が注入される少なくとも１つの注入路と、前記注入路から注入された液体が配水される少なくとも１つの配水路とが形成された外装体と、
前記外装体の内部に収容され、前記注入路に連通される第１開口と前記配水路に連通される第２開口とが形成された支持体と、
前記支持体の内部に収容され、前記外装体と前記支持体とによって回転自在に支持された切換手段と、
前記外装体の側面に設けられ、前記切換手段に形成された回転軸と接続された操作手段とを備えた切換コックであって、
前記切換手段は、所定径を有する有底の第１筒状体と、前記第１筒状体の中心部に前記第１筒状体の径より小さく、前記第１筒状体より長めに形成された有底の第２筒状体とを有し、前記第１筒状体と第２筒状体との各底部が一体に形成され、
前記底部とは反対側の前記第１筒状体及び前記第２筒状体の少なくとも１方の前記端部は前記外装体と接しており、
前記底部から前記切換手段の前記端部と反対側に前記回転軸が延在されており、
前記第１筒状体及び前記第２筒状体には、いずれか一方に液体が流入される２つの流入口と、いずれか一方から液体が流出される２つの流出口とが形成され、
前記２つの流入口のうちの一方の流入口と前記２つの流出口とのうちの一方の流出口とが連通された第１流路と、
前記２つの流入口のうちの他方の流入口と前記２つの流出口のうちの他方の流出口とが連通された第２流路とを有し、
前記第１流路と前記第２流路とは互いに連通されておらず、
前記操作手段を回転させることで、前記外装体の一方の注入路と前記切換手段の一方の流入口、前記外装体の一方の配水路と前記切換手段の一方の流出口、前記外装体の他方の注入路と前記切換手段の他方の流入口、及び前記外装体の他方の配水路と前記切換手段の他方の流出口がそれぞれ連通されるようになっていることを特徴とする切換コック。
【請求項２】
前記外装体には、１つの注入路と２つの配水路とが形成され、
前記支持体の第１開口は上部に形成され、
前記切換手段の前記第１流路は、前記第１筒状体の内周面と前記第２筒状体の外周面とで形成され、前記第１筒状体に形成された第１流入口と第１流出口とによって連通されており、
前記第２流路は、前記第１筒状体に形成された第２流入口から前記第２筒状体に連通された短流路と前記第２筒状体の内周面とで形成され、前記第２流入口と前記第２筒状体に形成された第２流出口とによって連通されており、
前記切換手段の底部とは反対側の第１筒状体及び第２筒状体のそれぞれの端部は前記外装体と接していることを特徴とする請求項１に記載の切換コック。
【請求項３】
前記切換手段は、前記第１流入口を前記外装体の第１配水路に連通されることを特徴とする請求項１又は２のいずれかに記載の切換コック。
【請求項４】
前記外装体には、２つの注入路と１つの配水路とが形成され、
前記支持体の第１開口は側面に形成され、
前記切換手段の前記第１流路は、前記第１筒状体の内周面と前記第２筒状体の外周面とで形成され、前記第１筒状体の内周面と前記第２筒状体の外周面との隙間であって、前記外装体と前記第１筒状体の端部が接する部分の前記隙間とで形成された第１流入口と第１流出口とによって連通されており、
前記第２流路は、前記第２筒状体の内周面と前記第１筒状体に形成された第２流出口から前記第２筒状体に連通された短流路とで形成され、前記第２筒状体に形成された第２流入口と前記第２流出口とによって連通されており、
前記外装体と前記第１筒状体の端部とが接しており、前記支持体と前記回転軸とが軸支されていることを特徴とする請求項１に記載の切換コック。
【請求項５】
前記外装体の一方の注入路は前記切換手段の前記第２筒状体の前記端部と接することで支持されていることを特徴とする請求項４に記載の切換コック。
【請求項６】
前記切換手段の第２筒状体の端部は、外付けの液体供給装置と接続可能な接続部を備えていることを特徴とする請求項４又は５に記載の切換コック。
【請求項７】
前記切換手段と前記支持体との間には、弁座パッキンが嵌合されていることを特徴とする請求項１、２又は４のいずれかに記載の切換コック。
【請求項８】
前記弁座パッキンは、合成樹脂材料で形成された板状体に前記切換手段との接点となる凸状の突起部が前記切換手段と接触する側に円形に少なくとも２つ以上形成されており、前記円形の突起部の一つには前記円形の突起部の内部が開口となっていることを特徴とする請求項７に記載の切換コック。
【請求項９】
前記操作手段には、前記切換手段を位置決め固定するための固定手段を備えていることを特徴とする請求項１、２又は４のいずれかに記載の切換コック。
【請求項１０】
前記外装体には、外付けの液体供給装置との接続が可能な取付手段が備えられていることを特徴とする請求項１、２又は４のいずれかに記載の切換コック。
【請求項１１】
前記外装体の前記第２配水路には、警告弁が備えられていることを特徴とする請求項１、２又は４のいずれかに記載の切換コック。
【請求項１２】
前記切換手段は、金属性材料又は合成樹脂材料で形成されていることを特徴とする請求項１、２又は４のいずれかに記載の切換コック。
【請求項１３】
前記支持体は金属性材料又は合成樹脂材料で形成されていることを特徴とする請求項１、２又は４のいずれかに記載の切換コック。
【請求項１４】
前記外装体は金属性材料又は合成樹脂材料で形成されていることを特徴とする請求項１、２又は４のいずれかに記載の切換コック。
【発明の詳細な説明】
【技術分野】
【０００１】
本発明は外付けの液体供給装置、例えば蛇口や浄水器などに接続され、切換手段を用いて流路を切り換えることができる切換コックに関する。詳しくは、本発明は、流路の切り換えを行う切換手段を簡単な構造とすることで切換コック全体の部品数を減らすことができ、さらに、容易に滞留水を排出することができる切換コックに関する。
【背景技術】
【０００２】
近年、蛇口などの吐水装置に接続され、配水時の流路の方向を切り換えることができる切換コックが広く普及しており、例えば、一方の流路を通常の蛇口として使用し、他方の流路を浄水器や食器洗浄器などに接続して使用されている。
【０００３】
下記特許文献１には、水栓の蛇口（吐水管）に取り付けられて吐水流路と浄水器の給水ホースに連通する分岐流路とに切替えるための切替コックに関する発明が開示されている。
【０００４】
下記特許文献１に開示されている切替コック５０は、図１４Ａ，図１４Ｂに示すように、筒状の合成樹脂製コック本体５１と合成樹脂製の弁体５３とで構成されている。コック本体５１は、左右方向に中心軸Ｘを有するよう横置きに設けられている。更に、コック本体５１は、周面Ｍにおける上側に流入口５４を有するとともに、この流入口５４の周囲から立設する大径の切替コック取付部材５５を有する。また、弁体５３は、横長で、一端に切替レバー５２を有する状態で他端側からコック本体５１内に挿入され、中心軸Ｘのまわりに１８０°回転するよう設けられている。そして、切替コック５０に備えられている弁体５３は、吐水流路Ｓと分岐流路Ｐを仕切る傾斜した仕切壁５８を有し、更に、この仕切壁５８の一方の壁面Ａ側に、切替レバー５２を吐水側に操作させたときに流入口５４および第１の流出口５６を連通させる吐水流路Ｓを形成する第１の連通部５９を有する（図１４Ｂ参照）。また、弁体５３は、仕切壁５８の他方の壁面Ｂ側に、切替レバー５２を分岐側に操作させたときに前記流入口５４および第２の流出口５７を連通させる分岐流路Ｐを形成する第２の連通部６０を有する構造とされている（図１４Ａ参照）。
【０００５】
下記特許文献１に開示されている切替コック５０は、このような構造とすることで、切替レバー５２を切り替えることで、弁体５３を回転させ、弁体５３に設けられた仕切壁５８の傾斜の向きを切り替え、吐水流路Ｓと分岐流路Ｐを切り替えることができるようにしている。
【０００６】
また、下記特許文献２には、一個の切換バルブの切り換え位置を切り換えることによって複数の水の流路を切り換えることができる機能を有した切換コックの発明が開示されている。
【０００７】
下記特許文献２の切換コックの切換バルブは、図１５Ａ〜図１５Ｃに示すように、水の流路を切り換える切換バルブ７３は円筒状をなし、本体７０の主流路７１の内部に自身の軸線を中心として摺動回転可能に嵌合されている。この切換バルブ７３は、内部が中空部となっており、仕切板７４で第一中空部７５及び第二中空部７６の二つの中空部に仕切られている。第一中空部７５の外周面には第一の溝７８が形成されており、その一部は円周方向において途切れている。バルブポート７７は、第一の溝７８が途切れた部位に形成され、前記第一中空部７５に連通している。第二中空部７６の外周面には、前記第一の溝７８と第二中空部７６とを連通する第二の溝７９が形成されており（図１５Ｂ参照）、さらに第二中空部７６とシャワーポート７２を連通する第三の溝８０が形成されている（図１５Ｃ参照）。
【０００８】
下記特許文献２に開示されている切換コックは、このような構造とすることで、水の流路を切り換える際、一個の切換バルブ７３を回転操作することにより、源水吐出、浄水吐出、逆洗吐出、あるいはシャワー吐出が得られるようにしている。
【０００９】
一方、切換コックには、他の使用方法もある。例えば、下記特許文献３に記載の・・・
【先行技術文献】
【特許文献】
【００１０】
【特許文献１】特開２０００−２６６１９９号公報
【特許文献２】特開平０９−０７９３９８号公報
【特許文献３】特開２００２−１１５２９２号公報
【発明の概要】
【発明が解決しようとする課題】
【００１１】
上記特許文献１に開示された切替コック５０は、切替レバー５２を操作し弁体５３の仕切壁５８の配置を切り替えることで吐水流路Ｓと分岐流路Ｐを切り替えることができる。しかし、弁体５３に設けた仕切壁５８は所定の傾斜を有する特有の構成をしており、さらに弁体５３を中空構造としているため、弁体５３自体の構造が複雑となる。さらに、この弁体５３を切替レバー５２を用いて切り替えるので、この弁体５３に対応するコック本体５１の構造及び切替コック５０全体の構造も複雑となる。さらに、中空構造の弁体５３を回転させるので、弁体５３の耐久性に課題が出てくる。また、この切替コック５０は、図１４に示すようにコック本体５１及び弁体５３が複雑な構造をしているため、コック本体５１と弁体５３を繋ぐ開口６１、６２、６３が狭くなり、必要な配水量を得ることができない場合がある。
【００１２】
さらに、上記特許文献２に開示された切換コックでは、流路を形成するために切換バルブ７３の外周囲に複数の溝７８、７９、８０を形成し、この溝と、切換バルブ７３が嵌合された本体７０との間に形成された流路を通し水を配水するようにしている。そのため、この切換コックは、溝７８、７９、８０と本体７０との嵌合の精度が重要となり、ずれが生じると水漏れ等の原因ともなる。また、切換バルブ７３に複数の溝７８、７９、８０を形成するので、切換バルブ７３の構造及び本体７０の構造も複雑となってしまい、切換コック全体の構造も複雑となってしまう。
【００１３】
また、従来の切換コックの課題として、例えば、切換コックの一方の流路に接続されている浄水器へ水を配水させる構造とした場合、この配水を止めたとき、切換コックと浄水器との間の流路に水が留まってしまうことがある。この場合、常時浄水器を使用していれば問題はないが、浄水器を長期間使用しなかった場合、この滞留している水にカビや雑菌が繁殖してしまうおそれがある。このような場合、このカビや雑菌が繁殖した滞留水をそのまま浄水器を通すと、浄水器が汚染されてしまうこととなり、強いては使用者に害を及ぼしてしまうおそれもある。
【００１４】
なお、上記特許文献２の切換コックでは、切換コックに接続された浄水器に水道の蛇口からの水を逆流させることで、浄水器内を洗浄できるとしているが、上記特許文献２に開示されている切換コックでは、洗浄できるのは専用の浄水器に限られてしまい、汎用的ではなく、しかも全体の構造が複雑となってしまう。
【００１５】
また、近年、キッチン用水栓に浄水カートリッジを内蔵した、いわゆる蛇口一体型浄水器や浄水器内蔵水栓などといわれるものが市場に出てきている（上記特許文献３参照）。これらは、同一の方向から浄水と原水が同時に流れてくるものであり、この浄水と原水の配水を切り換えるのに切換コックが用いられているものもある。
【００１６】
本発明者は、このような従来技術の問題点及び解決すべき課題に鑑み、流路を切り換える切換手段を備えた切換コックにおいて、切換手段の内部に複数の流路を形成し、この切換手段を操作することで、構造が簡単で且つ通常の吐水量と変らない切換コックを提供できると共に、滞留水を容易に排出できること、さらには、同じ方向から２種類の液体、例えば浄水と原水が同時に流れてくる、いわゆる蛇口一体型浄水器等にも本発明の切換コックを用いることができることを見出し、本発明を完成するに至ったものである。
【００１７】
すなわち、本発明の目的は、一部材に複数の流路が形成された簡単な構造の切換手段を備えることで、切換コック全体を構成する部品点数を減らし、且つこの切換手段によって流路に溜まった滞留水を容易に排出させることができる、構造が簡単な切換コックを提供すること、さらには、同じ方向から流入する複数の種類の液体を簡単な構造の切換手段を備えた切換コックを用いることで、使用者の好みに応じた配水が可能な切換コックを提供することにある。
【課題を解決するための手段】
【００１８】
上記目的を達成するために、本発明の切換コックは、外付けの液体供給装置から液体が注入される少なくとも１つの注入路と、前記注入路から注入された液体が配水される少なくとも１つの配水路とが形成された外装体と、
前記外装体の内部に収容され、前記注入路に連通される第１開口と前記配水路に連通される第２開口とが形成された支持体と、
前記支持体の内部に収容され、前記外装体と前記支持体とによって回転自在に支持された切換手段と、
前記外装体の側面に設けられ、前記切換手段に形成された回転軸と接続された操作手段とを備えた切換コックであって、
前記切換手段は、所定径を有する有底の第１筒状体と、前記第１筒状体の中心部に前記第１筒状体の径より小さく、前記第１筒状体より長めに形成された有底の第２筒状体とを有し、前記第１筒状体と第２筒状体との各底部が一体に形成され、
前記底部とは反対側の前記第１筒状体及び前記第２筒状体の少なくとも１方の前記端部は前記外装体と接しており、
前記底部から前記切換手段の前記端部と反対側に前記回転軸が延在されており、
前記第１筒状体及び前記第２筒状体には、いずれか一方に液体が流入される２つの流入口と、いずれか一方から液体が流出される２つの流出口とが形成され、
前記２つの流入口のうちの一方の流入口と前記２つの流出口とのうちの一方の流出口とが連通された第１流路と、
前記２つの流入口のうちの他方の流入口と前記２つの流出口のうちの他方の流出口とが連通された第２流路とを有し、
前記第１流路と前記第２流路とは互いに連通されておらず、
前記操作手段を回転させることで、前記外装体の一方の注入路と前記切換手段の一方の流入口、前記外装体の一方の配水路と前記切換手段の一方の流出口、前記外装体の他方の注入路と前記切換手段の他方の流入口、及び前記外装体の他方の配水路と前記切換手段の他方の流出口がそれぞれ連通されるようになっていることを特徴とする。
【００１９】
また、本発明の切換コックにおいては、前記外装体には、１つの注入路と２つの配水路とが形成され、
前記支持体の第１開口は上部に形成され、
前記切換手段の前記第１流路は、前記第１筒状体の内周面と前記第２筒状体の外周面とで形成され、前記第１筒状体に形成された第１流入口と第１流出口とによって連通されており、
前記第２流路は、前記第１筒状体に形成された第２流入口から前記第２筒状体に連通された短流路と前記第２筒状体の内周面とで形成され、前記第２流入口と前記第２筒状体に形成された第２流出口とによって連通されており、
前記切換手段の底部とは反対側の第１筒状体及び第２筒状体のそれぞれの端部は前記外装体と接していることが好ましい。
【００２０】
また、本発明の切換コックにおいては、前記切換手段は、前記第１流入口を前記外装体の第１配水路に連通されることが好ましい。
【００２１】
また、本発明の切換コックにおいては、前記外装体には、２つの注入路と１つの配水路とが形成され、
前記支持体の第１開口は側面に形成され、
前記切換手段の前記第１流路は、前記第１筒状体の内周面と前記第２筒状体の外周面とで形成され、前記第１筒状体の内周面と前記第２筒状体の外周面との隙間であって、前記外装体と前記第１筒状体の端部が接する部分の前記隙間とで形成された第１流入口と第１流出口とによって連通されており、
前記第２流路は、前記第２筒状体の内周面と前記第１筒状体に形成された第２流出口から前記第２筒状体に連通された短流路とで形成され、前記第２筒状体に形成された第２流入口と前記第２流出口とによって連通されており、
前記外装体と前記第１筒状体の端部とが接しており、前記支持体と前記回転軸とが軸支されていることが好ましい。
【００２２】
また、本発明の切換コックにおいては、前記外装体の一方の注入路は前記切換手段の前記第２筒状体の前記端部と接することで支持されていることが好ましい。
【００２３】
また、本発明の切換コックにおいては、前記切換手段の第２筒状体の端部は、外付けの液体供給装置と接続可能な接続部を備えていることが好ましい。
【００２４】
また、本発明の切換コックにおいては、前記切換手段と前記支持体との間には、弁座パッキンが嵌合されていることが好ましい。
【００２５】
また、本発明の切換コックにおいては、前記弁座パッキンは、合成樹脂材料で形成された板状体に前記切換手段との接点となる凸状の突起部が前記切換手段と接触する側に円形に少なくとも２つ以上形成されており、前記円形の突起部の一つには前記円形の突起部の内部が開口となっていることが好ましい。
【００２６】
また、本発明の切換コックにおいては、前記操作手段には、前記切換手段を位置決め固定するための固定手段を備えていることが好ましい。
【００２７】
また、本発明の切換コックにおいては、前記外装体には、外付けの液体供給装置との接続が可能な取付手段が備えられていることが好ましい。
【００２８】
また、本発明の切換コックにおいては、前記外装体の前記第２配水路には、警告弁が備えられていることが好ましい。
【００２９】
また、本発明の切換コックにおいては、前記切換手段は、金属性材料又は合成樹脂材料で形成されていることが好ましい。
【００３０】
また、本発明の切換コックにおいては、前記支持体は金属性材料又は合成樹脂材料で形成されていることが好ましい。
【００３１】
また、本発明の切換コックにおいては、前記外装体は金属性材料又は合成樹脂材料で形成されていることが好ましい。
【発明の効果】
【００３２】
本発明は、上記構成を備えることにより、以下の優れた効果を奏する。すなわち、本発明の切換コックでは、異なる流路の切換を行う切換手段は、その内部に第１流路と第２流路が形成されているので、各流路の切り換えはこの切換手段の一部材のみが操作されることで行うことができる。また、各流路を形成するために他の部品に溝等を形成することなく、また、切換手段に仕切り板等の特別な構造を設ける必要がない。そのため、本発明の切換コックによれば、切換手段の一部材内に２つの流路が形成されており、切換手段の構造を簡単にすることができ、部品数が少なく簡単な構造の切換コックを提供することができる。
【００３３】
また、本発明の切換コックでは、第１流入口と第１配水口とが連通した第１流路と第２流入口と第２流出口とが連通した第２流路を備えることにより、１方向から注入される液体を２方向へ配水する場合、例えば、上部から原水が注水され、この原水を下部へ配水するものと、側部に接続された外部装置、例えば浄水器へ配水するものとがある場合でも、本発明の切換コックを用いることにより、簡単な構造で容易に配水方向の切換を行うことができる。
【００３４】
また、本発明の切換コックでは、切換手段を第２配水口と第１配水口とを連通するように切り換えることができるため、切換コックと接続される外付けの液体注水装置、例えば浄水器や食器洗浄機との間に滞留した水を特別な部品や装置を用いることなく、また、複雑な構造とすることなく排出することができる。
【００３５】
また、本発明の切換コックでは、第１流入口と第１流出口とが連通された第１流路と、第２流入口と第２流出口とが連通された第２流路とを備えることにより、同一方向から２種類の液体、例えば原水と浄水が注水される、いわゆる、蛇口一体型浄水器あるいは浄水器内蔵水栓など呼ばれる装置にも本発明の切換コックを用いることができる。すなわち、構造が簡単で部品数の少ない本発明の切換コックを用いた蛇口一体型浄水器等を提供することができる。
【００３６】
また、本発明の切換コックによれば、切換手段が外装体と接して支持されているので、切換手段の回転には支障がなく、また、切換手段が外れることを抑制することができる。
【００３７】
また、本発明の切換コックでは、外付けの液体供給装置、例えば浄水器等と切換手段の第２筒状体の端部とを直接接続することができるので、部品点数をさらに減らすことができ、また、軽量化が可能な切換コックを提供することができる。
【００３８】
また、本発明の切換コックでは、切換手段と支持体の間に弁座パッキンが嵌合されているものとすることができるので、切換手段からの水漏れを抑制するとともに、切換手段の回転を滑らかにすることができ、従来のＯリングやパッキンに比べ耐久性が高く円滑な操作が可能な切換コックを提供することができる。
【００３９】
また、本発明の切換コックでは、本発明の切換コックに使用される弁座パッキンには円形の突起部が形成されており、この円形の突起部の内部に開口が設けられているものとすることができるので、この開口を流路が連通するように設置して、切換手段を支持することができる。そのため、本発明によれば、流路の形成位置に影響を受けることなく弁座パッキンを設置でき、切換手段の回転を効率よく支持でき且つ水漏れの抑制も行える切換コックを提供することができる。
【００４０】
また、本発明の切換コックでは、切換手段の各流路が正しく連通された状態で切換手段を固定することができるので、各流路の不確実な連通等の不具合を抑制でき、水漏れを抑制し確実な配水を行うことができる。
【００４１】
また、本発明の切換コックでは、取付手段が備えられていることにより、切換コックを外付けの液体供給装置と接続することが簡単となる。
【００４２】
また、本発明の切換コックでは、警告弁が備えられていることにより、切換コック内の水圧が上昇した場合に、使用者に警告することができ、また、上昇した水圧によって切換コックや他の接続されている装置が破損する前に、圧力を抜くことができる。
【００４３】
また、本発明の切換コックでは、切換手段を金属性材料で形成すれば、高圧にも耐え長期間使用できる耐久性の高い切換コックを提供することができ、また、切換手段を合成樹脂材料で形成すれば、軽量で小型の切換コックを提供することができる。
【００４４】
また、本発明の切換コックでは、支持体が金属性材料で形成されていることにより、高圧にも耐え長期間使用できる耐久性の高い切換コックを提供することができる。一方支持体が、合成樹脂材料で形成されていれば、軽量で小型の切換コックを提供することができる。
【００４５】
また、本発明の切換コックでは、外装体が金属性材料で形成されていることにより、高圧にも耐え長期間使用できる耐久性の高い切換コックを提供することができる。一方外装体が、合成樹脂材料で形成されていれば、軽量で小型の切換コックを提供することができる。
【図面の簡単な説明】
【００４６】
【図１】本実施形態１に係る切換コックの斜視図である。
【図２】本実施形態１に係る切換コックの分解斜視図である。
【図３】図３Ａは本実施形態１に係る切換手段の斜視図であり、図３Ｂは図３ＡのIIIB側から見た平面図である。
【図４】図４Ａは図３ＡのIVA−IVA線での断面図であり、図４Ｂは図３ＡのIVB−IVB線での断面図であり、図４Ｃは図３ＡのIVC−IVC線での断面図である。
【図５】図５Ａは本実施形態１に係る支持体の斜視図であり、図５Ｂは図５ＡのVB方向からみた平面図である。
【図６】図５ＡのVI−VI線での断面図である。
【図７】図７Ａは本実施形態１に係る外装体の斜視図であり、図７Ｂは図７ＡのVIIB−VIIB線での断面図である。
【図８】図８Ａは本実施形態１に係る操作手段の斜視図であり、図８Ｂは図８ＡのVIIIB−VIIIB線での断面図である。
【図９】図９Ａは本実施形態１に係る弁座パッキンの斜視図であり、図９Ｂは図９ＡのIXB−IXB線での断面図である。
【図１０】図１のＸ−Ｘ線での断面図である。
【図１１】図１１Ａは本実施形態１に係る切換コックの使用例１を示す図１０に対応する断面図に水の流れを示した図であり、図１１Ｂは図１のXIB−XIB線での断面図である。
【図１２】図１２Ａは本実施形態１に係る切換コックの使用例２を示す図１１Ａに対応する断面図であり、図１２Ｂは図１１Ｂに対応する断面図である。
【図１３】図１３Ａは本実施形態１に係る切換コックの使用例３を示す図１１Ａに対応する断面図であり、図１３Ｂは図１１Ｂに対応する断面図である。
【図１４】実施形態２に係る切換コックの斜視図である。
【図１５】図１５Ａは実施形態２に係る切換手段の斜視図であり、図１５Ｂは図１５AのXVＢ−XVＢ線での断面図である。
【図１６】図１６Ａは図１５ＡのXVIＡ−XVIＡ線での断面図であり、図１６Ｂは図１５ＡのXVIＢ方向から見た平面図である。
【図１７】図１７Ａは実施形態２に係る支持体の斜視図であり、図１７Ｂは図１７ＡのXVIIB−XVIIB線での断面図である。
【図１８】図１８Ａは実施形態２に係る外装体の斜視図であり、図１８Ｂは図１８ＡのXVIII−XVIII線での断面図である。
【図１９】実施形態２の切換コックの図１４のXIX−XIX線での断面図である。
【図２０】図２０Ａは実施形態２に係る使用例４を示す切換コックの図１１Ａに対応する断面図であり、図２０Ｂは図１４のXXB−XXB線での断面図である。
【図２１】図２１Ａは実施形態２に係る使用例５を示す切換コックの図２０Ａに対応した断面図であり、図２１Ｂは図２０Ｂに対応した断面図である。
【図２２】従来例を示す図である。
【図２３】他の従来例を示す図である。
【発明を実施するための形態】
【００４７】
以下、図面を参照して本発明の実施形態を説明する。但し、以下に示す実施形態は、本発明の技術思想を具体化するための切換コックを例示するものであって、本発明をこの切換コックに特定することを意図するものではなく、特許請求の範囲に含まれるその他の実施形態のものも等しく適応し得るものである。
【００４８】
〔実施形態１〕
本実施形態１に係る切換コックを図１〜図１３を参照して説明する。なお、以下の実施形態１では液体の１例として水を用いた場合を説明する。
【００４９】
図１に示すように、本実施形態１の切換コック１は、所定径を有する横長の円筒状の外装体１７に、上部に外付けの吐水装置に接続するための取付手段２９と、この取付手段２９が接続される注入口２１と、下方に注入口２１から注入された水が配水される第１配水口２４と、外装体１７の側面１７ｃに注入口２１から注入された水が配水される第２配水口２６とを有する。さらに、外装体１７の第２配水口２６と反対側に、外装体１７と略同径で、外装体１７より幅狭である円筒状の操作手段２７が備えられている。
【００５０】
次に、図２を参照して本実施形態１の切換コックを構成する各部品を説明する。本実施形態１の切換コック１は、切換手段２と支持体１３と外装体１７と操作手段２７と取付手段２９とを有しており、水漏れを抑制するために、各部品の間には、ゴム（弾性体）及び合成樹脂で形成された弁座パッキン２８及び、ＯリングＲ１〜Ｒ５が備えられている。また、支持体１３と外装体１７及び切換手段２と操作手段２７はボルトＢ１〜Ｂ４を用いて固定されている。
【００５１】
切換手段２は、図３、図４に示すように、切換コック１の流路を切り換えるための部品である。切換手段２は、合成樹脂材料で形成されており、所定径及び所定の厚みを有する有底の円筒状の第１筒状体３と、第１筒状体３の径より小さい径であって第１筒状体３より長めに形成された所定の厚みを有する有底の円筒状の第２筒状体４とを有している。そして、第１筒状体３の中心部に第２筒状体４を配置し互いの底部５が共通するように一体に形成されている。
【００５２】
また、切換手段２の内部には、第１流路６と第２流路７が形成されている。第１流路６は、第１筒状体３の内周面３ａと第２筒状体４の外周面４ｂとの隙間で形成され、第１筒状体３の外周面３ｂに形成された第１流入口８と第１流出口９とで連通されている。一方、第２流路７は、第２流入口１０から第２筒状体４にかけて円筒状に形成された縦方向の短流路７ａと第２筒状体４の内周面４ａとで形成され、第１筒状体３の外周面３ｂに形成された第２流入口１０と第２筒状体４の端部４ｃに形成された第２流出口１１とで連通されて形成されている。
【００５３】
この第１流路６は、上述したように第２筒状体４の外周面４ｂと第１筒状体３の内周面３ａとの隙間で形成されているため、第２流路７の短流路７ａが形成されている部分は短流路７ａ形成のために筒状の壁７ｂが形成されているので第２流路７は遮られ、第２筒状体４の一方側の外周面４ｂに沿って水が流れることとなる。しかし、第１流路６は、筒状の壁７ｂの反対側に形成された幅の広い流路からなっているので、流量が減少するおそれはない。しかも、第１流路６は、流路が二股となってないので、水の流れが合流する際の乱流や、泡立ちを抑制することができる。
【００５４】
また、切換手段２の底部５には、第２流出口９とは反対側に回転軸１２が延在されている。この回転軸１２は後述する操作手段２７と連結される部分であり、この回転軸１２の回転が切換手段２に伝わることで流路の切り換えが行われる。回転軸１２は、回転軸１２の長軸方向に沿って、一部に切り欠き部１２ａが形成されている。さらに、回転軸１２の端部１２ｂには操作手段２７とボルトＢ４で固定するためのボルト孔１２ｃが形成されている。
【００５５】
また、切換手段２の第２筒状体４の第１筒状体３が平面視で重ならない部分及び底部５の回転軸１２が延在し始めている部分の近辺には段差４ｄ、１２ｄが形成されており、これらの段差４ｄ、１２ｄはそれぞれ支持体１３及び外装体１７と組み合わされる部分となり、水漏れを抑制するためのＯリングＲ１、Ｒ２が装着される部分ともなる。
【００５６】
このような構造とすることによって、本実施形態１の切換コック１は、切換手段の一部材に二つの流路を簡単な構造で形成することができ、さらに、各流路の形成に特別な仕切りや溝を形成することもないので、簡単な構造とすることができる。
【００５７】
なお、切換手段２は、合成樹脂材料で形成された場合を説明したが、金属性材料で形成されていてもよい。
【００５８】
支持体１３は、切換手段２をその内部に収容して回転自在に支持するための部品である。支持体１３は、合成樹脂材料で形成されており、図５、図６に示すように、内部に切換手段２が収容可能な程度の空間１３Ｒが形成され、切換手段２の第１筒状体３より大きな径を有し、中央部分に切換手段２を支持する部分である切換手段設置部１３ｇと回転軸軸受１３ｆが形成された筒状体である。
【００５９】
支持体１３の外周面１３ｂの上部には切換手段２の第１流入口８及び第２流入口１０と連通される第１開口１４が形成され、支持体１３の外周面１３ｂの第１開口１４とは反対側に切換手段２の第１流出口９と連通される第２開口１５が形成されている。
【００６０】
また、支持体１３の一方の側面１３ｃには切換手段２が挿入できる大きさの第１挿入口１３ｄが形成され、第１挿入口１３ｄと反対側には支持体１３の径より大きな径のフランジ部１６が形成されている。このフランジ部１６には、後述する外装体１７と固定されるためのボルトＢ１〜Ｂ３を通すボルト孔１７ｅが設けられている。
【００６１】
また、第１挿入口１３ｄとは反対側の中心部には、切換手段２の回転軸１２が貫通される貫通口１３ｅと、回転軸１２を軸支するための回転軸軸受１３ｆが形成されている。なお、貫通口１３ｅが形成される部分には切換手段２の回転軸１２側のＯリングＲ２が配置される切換手段設置部１３ｇが設けられる。
【００６２】
さらに、フランジ部１６の貫通口１３ｅの周辺には、後述する操作手段２７を所定の位置で一時固定するために用いられるボール溝１６ｂが形成されている。このボール溝１６ｂは、図５Ａでは９０°ごとに３つ設けられている。また、第２開口１５の周囲とフランジ部１６の近辺にはＯリングＲ３、Ｒ４が装着される溝１５ａ、１６ｃがそれぞれ形成されている
【００６３】
なお、支持体１３の内周面１３ａには、後述する弁座パッキン２８が装着される弁座パッキン装着部１３ｈが形成されている。
【００６４】
なお、支持体１３は、合成樹脂材料で形成された場合を説明したが、金属性材料で形成されていてもよい。
【００６５】
外装体１７は、支持体１３等がその内部に収容され、切換コック１の本体となる部品である。この外装体１７は、金属性材料で形成されており、図７に示すように内部に支持体１３が収容可能な程度の空間１７Ｒが形成され、支持体１３より大きな径を有する筒状体である。
【００６６】
外装体１７には、その外周面１７ｂに外付けの吐水装置から水が注入される注入路１８と、注入された水を配水するための第１配水路１９及び第２配水路２０が形成されている。注入路１８は、外装体１７の上部に形成された注入口２１と外装体１７の内部に形成され支持体１３の第１開口１４と連通される上部連通口２２とが連通されている。また、第１配水路１９は外装体１７の内部に形成され支持体１３の第２開口１５と連通される下部連通口２３と外装体１７の下部に形成された第１配水口２４とが連通されている。さらに、第２配水路２０は外装体１７の内部に形成された切換手段２の第２流出口１１と連通される側部連通口２５と外装体１７の側面１７ｃに形成された第２配水口２６とが連通されている。なお、第２配水路２０の側部連通口２５には、切換手段２が組み合わされる切換手段設置部１７ｇが段差状に形成されている。また、外装体１７の空間１７Ｒの側部連通口２５が形成されている側の内壁１７ａは、切換手段２の第１筒状体３の端部３ｃと接して第１流路６の一部ともなる。
【００６７】
また、第２配水口２６の反対側には、支持体１３が挿入される大きさの第２挿入口１７ｄが形成されている。この第２挿入口１７ｄの周辺部には支持体１３を固定するためのボルトＢ１〜Ｂ３を留めるボルト孔１７ｅが３つ設けられている。
【００６８】
さらに、注入路１８は外付けの吐水装置と接続するための取付手段２９（図１、図２参照）が装着される部分ともなる。また、第１配水口２４及び第２配水口２６には、外付けの装置及び配管等と接続可能な接続部２４ａ、２６ａが形成されている。
【００６９】
なお、外装体１７の第２配水路２０が形成された部分には、後述する警告弁３５が装着される警告弁挿入孔１７ｆが形成されている。
【００７０】
なお、外装体１７は、金属性材料で形成された場合を説明したが、合成樹脂材料で形成されていてもよい。
【００７１】
操作手段２７は、図８Ａ及び図８Ｂに示すように、切換コック１の配水方向を切り換えるための切換手段２を操作する部品である。操作手段２７は合成樹脂材料で形成されており、外装体１７と略同径の有底の筒状体からなり、この操作手段２７の中心部には切換手段２の回転軸１２が入り込む係合孔２７ａが形成され、この係合孔２７ａには切換手段２の回転軸１２の切り欠き部１２ａと係合されるための係合溝２７ａ'が形成されている。また、この中心部には、切換手段２と操作手段２７を固定するためのボルトＢ４を貫通させるボルト孔２７ｂが形成されている。なお、操作手段２７の側面２７ｆのボルト孔２７ｂが形成された部分はこのボルト孔２７ｂを覆うためのキャップ４０が嵌め込まれるキャップ嵌合部２７ｇとなる。
【００７２】
また、操作手段２７の外周面２７ｃには、一部に凹み２７ｄが設けられている。このような凹みを設けることで使用者が操作時に握りやすく且つ滑らない構造としている。
【００７３】
また、操作手段２７の係合孔２７ａの周辺部には、操作手段２７の位置を決め一時的に固定する固定手段３２が挿入される固定手段挿入孔２７ｅが設けられている。
【００７４】
弁座パッキン２８は、図９Ａ及び図９Ｂに示すように切換手段２と支持体１３との間に配置され切換手段２を支持し、さらに切換手段２の回転を滑らかに行えるようにし、且つ水漏れを抑制する部品である。
【００７５】
弁座パッキン２８は、矩形の所定の厚みを有する板状体２８ａを湾曲させて略半円状とした形状をしており、弁座パッキン２８の切換手段２との接点となる凸状の突起部２８ｃが円形に二つ形成されており、一方の円形の突起部２８ｃ１の内側は開口２８ｄが形成されており、他方の円形の突起部２８ｃ２には開口は形成されていない。なお、板状体２８ａの短辺２８ｂには支持体１３の弁座パッキン装着部１３ｈと係合するような段差が形成されている。
【００７６】
そして、弁座パッキン２８は、開口２８ｄを形成した方の円形の突起部２８ｃ１を、支持体１３の第２開口１５と連通するようにして、設置される。
【００７７】
このような構造の弁座パッキン２８を備えることで、流路の形成位置に影響を与えることなく弁座パッキン２８を配置できる。
【００７８】
取付手段２９は、図１、図２に示すように外装体１７の注入路１８に接続される。この取付手段２９は、外部の吐水装置と接続するためのものである。本実施形態１では、固定ボルト３０と外装体１７との間にＯリングＲ５と袋ナット３１を挟み、固定ボルト３０を外装体１７と螺合して接続されるものを用いている。なお、取付手段は外部の吐水装置と接続できればこれに限られない。
【００７９】
固定手段３２は、図２に示すように操作手段２７の固定手段挿入孔２７ｅに挿入されて切換手段２の各流路が連通される位置で操作手段２７を一時的に固定するために用いられるものである。この固定手段３２はロックスプリング３３を２個の金属製のボール３４ａ、３４ｂで挟んだ構造をしている。このような構造とすることで、一方の支持体１３と接するボール３４ａが、支持体１３のフランジ部１６に設けられたボール溝１６ｂに入り込むことでロックスプリング３３の弾性力により操作手段２７の位置を固定することができる。
【００８０】
警告弁３５は、図２に示すように外装体１７の警告弁挿入孔１７ｆに挿入されて用いられ、切換コック１内の水圧が上昇した場合に、上昇した水圧によって切換コック１や他の接続されている装置が破損する前に、圧力を外部へ逃がすためのものである。さらにこの圧力の上昇を音等を使用して使用者に知らせることもできる。警告弁３５は、警告弁キャップ３６と警告弁スプリング３７とシリコンボール３８で構成され、スプリングピン３９を利用して警告弁キャップ３６のピン止め孔３６ａに挿通することで外装体１７に固定する。
【００８１】
次に、図２、図１０を参照して、本実施形態１の切換コック１の組み立てを説明する。
【００８２】
まず、上述した切換手段２の前後の段差４ｄ、１２ｄにＯリングＲ１、Ｒ２を嵌め込む。そして、ＯリングＲ１、Ｒ２が嵌めこまれた切換手段２を支持体１３の弁座パッキン装着部１３ｈに弁座パッキン２８が嵌め込まれた支持体１３の第１挿入口１３ｄから挿入し、切換手段２の回転軸１２を支持体１３の貫通口１３ｅ及び回転軸軸受１３ｆに回転自在に挿通させ軸支させる。また、切換手段２の回転軸１２側のＯリングＲ２も支持体１３の切換手段設置部１３ｇに設置させ軸支させる（図６参照）。
【００８３】
次に、支持体１３の第２開口１５部分とフランジ部１６部分に形成された溝１５ａ、１６ｃにそれぞれＯリングＲ３、Ｒ４を装着させ、支持体１３を外装体１７の第２挿入口１７ｄから挿入する。その際、切換手段２の第２流出口１１部分に装着させたＯリングＲ１を外装体１７の切換手段設置部１７ｇに設置させ軸支させる。そして支持体１３と外装体１７のそれぞれのボルト孔１６ａ、１７ｅにボルトＢ１〜Ｂ３を螺合し外装体１７と支持体１３とを固定する（図６、図７Ｂ参照）。
【００８４】
このとき、切換手段２が外装体１７に設置されたときは、切換手段２の第１筒状体３の端部３ｃが外装体１７の内壁１７ａと接するように配置される。
【００８５】
また、支持体１３の切換手段設置部１３ｇと外装体１７の切換手段設置部１７ｇにそれぞれ設置される切換手段２に装着されたＯリングＲ１、Ｒ２は、回転軸１２の回転に合わせ回転することとなる。
【００８６】
そして、切換手段２のボルト孔１２ｃと操作手段２７のボルト孔２７ｂとを一本のボルトＢ４で螺合し固定する。この固定は、切換手段２の回転軸１２に形成された切り欠き部１２ａと操作手段２７の中心の係合孔２７ａに形成された係合溝２７ａ'とを係合させて行う。このようにすることで、操作手段２７の回転を確実に切換手段２に伝えることができる（図３Ａ、図８Ｂ参照）。
【００８７】
なお、切換手段２と操作手段２７の固定に際しては、切換手段２に設けられた固定手段挿入孔２７ｅにあらかじめ固定手段３２を挿入して行われる。この固定手段３２はロックスプリング３３を２つの金属製のボール３４ａ、３４ｂで挟んで構成されており、一方の金属性のボール３４ａが、支持体１３のフランジ部１６に形成されたボール溝１６ｂに、金属製のボール３４ａの径の略１／３〜１／２程度入り込むことで固定される。
【００８８】
また、操作手段２７のボルト孔２７ｂのキャップ嵌合部２７ｇにはキャップ４０が嵌め込まれる（図８Ａ、図８Ｂ参照）。これにより、切換コック１の外観の美しさを得ることができる。
【００８９】
次に、外装体１７の第２配水路２０の警告弁挿入孔１７ｆに、警告弁３５を挿入させる。この挿入は、シリコンボール３８と警告弁スプリング３７と警告弁キャップ３６とをこの順に警告弁挿入孔１７ｆに挿入し、外装体１７の第２配水口２６側の側面１７ｃに設けられたピン孔１７ｈからスプリングピン３９を差し込み警告弁キャップ３６のピン止め孔３６ａに挿通して固定される。
【００９０】
そして、外装体１７の注入路１８部分にＯリングＲ５を嵌め込み固定ボルト３０と袋ナット３１で構成されている取付手段２９を接続し、本実施形態１の切換コックが組み立てられる。
【００９１】
以下、本実施形態１の切換コック１の各使用例について図１１〜図１３を用いて説明する。なお、以下に説明する切換コック１では、外装体１７の注入路１８に取付手段２９が接続されている場合を示すため、注入路１８としては取付手段２９の固定ボルト３０内の流路で示す。
【００９２】
まず、使用例１では、図１１に示すように外装体１７の第１配水口２４から配水される場合を説明する。なお、水の流れを矢印Ｆ１で示す。
【００９３】
外装体１７の第１配水口２４から配水させる場合には、切換手段２の第１流路６に水が流れるようにする。すなわち、切換手段２の第１流入口８と外装体１７の注入路１８及び切換手段２の第１流出口９と外装体１７の第１配水路１９とが連通するようにする。
【００９４】
このように配置することで、外付けの吐水装置から注入された水は、外装体１７の注入路１８、上部連通口２２、支持体１３の第１開口１４及び切換手段２の第１流入口８を通り、第１流路６に流れ込み、切換手段２の第１流出口９、弁座パッキン２８の開口２８ｄ、支持体１３の第２開口１５、外装体１７の下部連通口２３及び外装体１７の第１配水路１９を通り、第１配水口２４から配水される。
【００９５】
次に、使用例２として、図１２に示すように外装体１７の第２配水口２６から配水される場合を説明する。なお、水の流れを矢印Ｆ２で示す。
【００９６】
外装体１７の第２配水口２６から配水させる場合には、切換手段２の第２流路７に水が流れるようにする。すなわち、切換手段２の第２流入口１０と外装体１７の注入路１８及び切換手段２の第２流出口１１と外装体１７の第２配水路２０とが連通するようにする。この場合、使用例１の位置から操作手段２７を時計方向に９０°回転させる。
【００９７】
このように配置することで、吐水装置から注入された液体は、外装体１７の注入路１８、上部連通口２２、支持体１３の第１開口１４及び切換手段２の第２流入口１０を通り、第２流路７に流れ込み、切換手段２の第２流出口１１、外装体１７の側部連通口２５及び外装体１７の第２配水路２０を通り、第２配水口２６から配水される。
【００９８】
次に、使用例３として、図１３に示すように滞留水を排水する場合を説明する。なお、水の流れを矢印Ｆ３で示す。
【００９９】
滞留水を排水させる場合には、切換手段２の第２流出口１１と外装体１７の第２配水路２０及び切換手段２の第１流出口９と外装体１７の第１配水路１９とが連通するようにする。この場合、使用例１の位置から、操作手段２７を反時計方向に９０°回転させる。
【０１００】
本実施形態１の切換コック１によれば、このように配置することで、切換コック１とこの切換コック１に接続された外部装置、例えば浄水器や食器洗浄機等との間に滞留した水を、外装体１７の第２配水路２０、側部連通口２５及び切換手段２の第２流出口１１を通り、第２流路７に流れ込み、切換手段２の第２流入口１０、弁座パッキン２８の開口２８ｄ、支持体１３の第２開口１５、外装体１７の下部連通口２３及び第１配水路１９を通り、第１配水口２４から排出されるようになる。
この使用例３によれば、切換コック１に接続された外部装置、例えば浄水器や食器洗浄機等との間に滞留した液体を、切換手段を操作するだけで排出することができる。
【０１０１】
以上のような構造とすることにより、本実施形態１の切換コックによれば、異なる配水方向を有する第１流路と第２流路が切換手段の一部材の内部に形成されているので、各流路の切り換えはこの切換手段のみを操作することで行うことができる。さらに、各流路を形成するために他の部品に溝や、仕切り板等の特別な構造を設ける必要がないので、切換手段の構造を簡単にすることができる。そのため、この切換手段を用いることで部品数が少なく簡単な構造の切換コックを提供することができる。
【０１０２】
また、本実施形態１の切換コック１によれば、切換手段を回転させ第２配水口と第１配水口とを連通するようにすることができるので、切換コックと接続される外部装置、例えば浄水器や食器洗浄機間に滞留した水を特別な部品を用いることなく、また、複雑な構造とすることなく排出することができる切換コックを提供することができる。
【０１０３】
なお、本実施形態１の切換コック１では、警告弁を用いた場合を説明したが、これに限らず、警告弁の代わりに安全弁やリリース弁等を用いてもいいし、これらを併用してもよい。
【０１０４】
また、本実施形態１の切換コック１では、弁座パッキンの開口は支持体の第２開口部分に設けられた場合を説明したが、これに限らず、第１開口部分に設けるようにしてもよい。
【０１０５】
〔実施形態２〕
次に、実施形態２に係る切換コックについて説明する。なお、実施形態１の切換コック１では、一つの方向から注入される水を２つの異なる方向へ配水する例について説明したが、実施形態２の切換コック１Ａでは、同じ方向から同時に注入される２種類の水に対して配水する水を選択して１つの方向へ配水するような場合、例えば一方向から浄水と原水が同時に流れてくるような外付けの液体供給装置、いわゆる蛇口一体型浄水器等において、本発明の切換コックが用いられた場合を説明する。なお、実施形態２の切換コックでは、実施形態１の切換コックとは切換コックを構成する部品の一部の構造が異なるのみなので、各部品については主に実施形態１と異なる部分について説明することとし、実施形態１の切換コックと共通する構成については同一の符号を参照し、詳細な説明は省略する。また、以下においては、外付けの液体供給装置として蛇口一体型浄水器に接続した例を説明する。
【０１０６】
図１４は実施形態２の切換コック１Ａの外観の斜視図を示したものである。実施形態２の切換コック１Ａにおいて、実施形態１の切換コック１と異なる部分は、実施形態１の切換コック１に液体が注入される注入口２１が上部に形成されているのに対し、実施形態２の切換コック１Ａに液体が注入される注入口２１'は側面に形成されていることである。
【０１０７】
次に、図１５、図１６に示すように、実施形態２の切換コック１Ａの切換手段２'は、実施形態１の切換コック１の切換手段２では、第１流入口８が第１筒状体３の外周面３ｂに形成されているのに対し、実施形態２の切換コック１Ａの切換手段２'の第１流入口８'は、第１筒状体３'の内周面３ａ'と第２筒状体４の外周面４ｂとの隙間の部分に形成されている。そのため、実施形態２の切換手段２'の第１流入口８'は円形状になっている（図１６Ｂ参照）。さらに、第２流入口１０'は、実施形態１の切換コック１の切換手段２では第１筒状体３の外周面３ｂに形成されているのに対し、実施形態２の切換コック１Ａの切換手段２'では第２筒状体４の端部４ｃに形成されている。すなわち、実施形態１の切換手段２の第２流出口１１に対応する部分が、実施形態２の切換コック１Ａの第２流入口１０'となっている。それに伴い、実施形態２の切換手段２'の第２流出口１１'は、実施形態１の切換手段２の第２流入口１０に対応する部分となる。
【０１０８】
また、図１７に示すように、実施形態２の切換コック１Ａの支持体１３'は、実施形態１の切換コック１の支持体１３では外周面１３ｂの上部に第１開口１４が形成されているのに対し、実施形態２の切換コック１Ａの支持体１３'では側面１３ｃ'に第１開口１４'が形成されている。すなわち、実施形態２の支持体１３'では、実施形態１で示した支持体１３の第１挿入口１３ｄと第１開口１４'が同じ部分となっている。
【０１０９】
また、図１８に示すように、実施形態２の切換コック１Ａの外装体１７'は、実施形態１の切換コック１の外装体１７では注入路１８が外装体１７の上部に形成されているのに対し、実施形態２の切換コック１Ａの外装体１７'では注入路１８'が外装体１７'の側面１７ｃ'に設けられている。すなわち、実施形態１の外装体１７における第２配水路２０が、実施形態２の切換コック１Ａでは注入路１８'となる。なお、同一の側面１７ｃ'から同時に注水される２つの注入路が形成され、この注入路１８'に第１注入路１８Ａ及び第２注入路１８Ｂ（図１９参照）が形成されるようになるが、詳細は後述する。また、実施形態２では、第２注入路１８Ｂは蛇口一体型浄水器と接続される通水管等に形成された流路を使用したものが示されている。なお、この通水管等が本願発明における取付手段となる。
【０１１０】
なお、実施形態２に係るその他の切換コックの部品については実施形態１のものと共通するので説明は省略する、また、実施形態２の切換コックでは、警告弁が備えられていないものを例として説明するが、もちろん実施形態１と同様に警告弁等を備えることもできる。
【０１１１】
次に、実施形態２の切換コック１Ａの組立について、図１９を参照して主に実施形態１の切換コック１の組立と異なる部分について説明する。
【０１１２】
まず、切換手段２'の前後の段差４ｄ、１２ｄにＯリングＲ１、Ｒ２を嵌め込む。そして、ＯリングＲ１、Ｒ２が嵌めこまれた切換手段２'を支持体１３'の弁座パッキン装着部１３ｈに弁座パッキン２８が嵌め込まれた支持体１３'の第１挿入口１３ｄから挿入し、切換手段２'の回転軸１２を支持体１３'の貫通口１３ｅ及び回転軸軸受１３ｆに回転自在に挿通させて軸支させる。また、切換手段２'の回転軸１２側のＯリングＲ２も支持体１３'の切換手段設置部１３ｇに設置させ軸支させる。なお、切換手段２'の第２筒状体４の先端部分に設けられた段差４ｄのＯリングＲ１については、後述する。
【０１１３】
次に、支持体１３'の第２開口１５部分とフランジ部１６部分に形成された溝１５ａ、１６ｃにそれぞれＯリングＲ３、Ｒ４を装着させ、支持体１３'を外装体１７'の第２挿入口１７ｄから挿入する。その際、切換手段２'が外装体１７'に設置されたときは、切換手段２'の第１筒状体３'の端部３ｃ'が外装体１７'の内壁１７ａと接するように配置される。そして支持体１３'と外装体１７'のそれぞれのボルト孔１６ａ、１７ｅにボルトＢ１〜Ｂ３を螺合し外装体１７'と支持体１３'とを固定する。
【０１１４】
なお、その他の部品の組立は、取付手段２９の構成と警告弁３５を省略した点以外は実施形態１と同様であるので、詳細な説明は省略する。
【０１１５】
次に、実施形態２の切換コック１Ａが使用される状態について説明をする。すなわち、実施形態２の切換コック１Ａは、蛇口一体型浄水器に接続されて使用されるものであるので、この蛇口一体型浄水器への接続の一例について説明する。
【０１１６】
まず、実施形態２の切換コック１Ａの組立が完了したら、前述した切換手段２'の第２筒状体４の先端部分の段差４ｄと、蛇口一体型浄水器に接続される通水管２９ＢとをＯリングＲ１を介して接続させる。
【０１１７】
このようにすることで、支持体１３'の切換手段設置部１３ｇと切換手段２'の第２筒状体４の先端部分のそれぞれの段差４ｄ、１２ｄに装着されたＯリングＲ１、Ｒ２は、回転軸１２の回転に合わせ回転することとなる。
【０１１８】
そして、通水管２９Ｂを接続する際に、外装体１７'の側面の接続部２６ａ'に蛇口一体型浄水器に接続される他の通水管２９Ａを接続させ、実施形態２の切換コック１Ａの使用される状態となる。
【０１１９】
次に、以上の構成を備えた実施形態２の切換コック１Ａの使用例について図２０〜図２１を用いて以下説明する。
【０１２０】
まず、使用例４では、図２０に示すように外装体１７'の第１注入路１８Ａに注水される液体、例えば原水を選択して配水する場合を説明する。なお、原水の流れを矢印Ｆ４で示す。
【０１２１】
外装体１７'の第１注入路１８Ａから注入される原水を選択して配水する場合には、切換手段２'の第１流路６'に原水が流れるようにする。すなわち、切換手段２'の第１流入口８'と外装体１７'の第１注入路１８Ａ及び切換手段２'の第１流出口９と外装体１７'の配水路１９'とを連通させるようにする。
【０１２２】
このように配置することで、蛇口一体型浄水器から注入された原水は、外装体１７'の第１注入路１８Ａ、側部連通口２５'、支持体１３'の第１開口１４'及び切換手段２'の第１流入口８'を通って第１流路６'に流れ込み、切換手段２'の第１流出口９、弁座パッキン２８の開口２８ｄ、支持体１３'の第２開口１５、外装体１７'の下部連通口２３及び外装体１７'の配水路１９'を通って配水口２４'から配水される。
【０１２３】
このとき、使用例４における切換手段２'の第１流入口８'は図１６Ｂに示すように円形状に形成されており、第１流路６'内も第２流路７を形成す短流路７ａが形成された部分以外から原水が流入する部分となる。そのため、第１流入口８'からは、大量の原水を流入させることができるので、配水量を減少させることはない。
【０１２４】
なお、使用例４の場合、切換コック１Ａの第２注入路１８Ｂからは他の種類の液体、例えば浄水が流れてきているが、切換手段２'の第２流出口１１'は外装体１７'の配水路１９'とは連通されていないので、浄水が配水されることはない。
【０１２５】
次に、使用例５として、図２１に示すように蛇口一体型浄水器に接続された通水管２９Ｂの第２注入路１８Ｂから注入される他の種類の液体、例えば浄水を選択して配水する場合を説明する。なお、浄水の流れを矢印Ｆ５で示す。
【０１２６】
蛇口一体型浄水器に接続された通水管２９Ｂ内の第２注入路１８Ｂから注入された浄水を選択して配水させる場合には、切換手段２'の第２流路７に浄水が流れるようにする。すなわち、切換手段２'の第２流入口１０'と蛇口一体型浄水器に接続された通水管２９Ｂの第２注入路１８Ｂ及び切換手段２'の第２流出口１１'と外装体１７'の配水路１９'とを連通させるようにする。この場合、使用例４の位置から操作手段２７を反時計方向に９０°回転させる。
【０１２７】
このように配置することで、蛇口一体型浄水器から注入された浄水は、蛇口一体型浄水器に接続された通水管２９Ｂの第２注入路１８Ｂ及び切換手段２'の第２流入口１０'を通って第２流路７に流れ込み、切換手段２'の第２流出口１１'、弁座パッキン２８の開口２８ｄ、支持体１３'の第２開口１５、外装体１７'の下部連通口２３及び外装体１７'の配水路１９'を通り、配水口２４'から配水される。
【０１２８】
なお、使用例５の場合、切換コック１Ａの第１注入路１８Ａからは原水が流れてきているが、切換手段２'の第１流出口９は外装体１７'の配水路１９'とは連通されていないので、原水が配水されることはない。
【０１２９】
以上のような構造とすることにより、本実施形態２の切換コック１Ａによれば、異なる種類の液体が同一方向から同時に注水されるいわゆる蛇口一体型浄水器等に対して、本発明の切換コックを用いることができる。すなわち、各流路の切り換えはこの切換コックに備えられた切換手段のみを操作することで行うことができ、さらに、各流路を形成するために他の部品に溝や、仕切り板等の特別な構造を設ける必要がないので、切換手段の構造を簡単にすることができる。そのため、この切換手段を用いることで、部品数が少なく簡単な構造の切換コックを蛇口一体型浄水器等に接続して使用することができる。
【０１３０】
また、実施形態２の切換コックでは、第２筒状体の段差部分を外付けの通水管等と接続できるような構造としているので、蛇口一体型浄水器等に限られず様々な外付けの液体注水装置と接続させることができる汎用性の高い切換コックを提供することができる。
【０１３１】
また、実施形態２の切換コックでは、第２注入路に取付手段としての通水管を用いたが、これに限らず、切換コック自体に第２注入路を設けてもよい。その際、切換コックの外装体に接続手段を備えた管等を設けるようにすればよい。
【０１３２】
また、実施形態１又は２の切換コックでは、各流路が連通されない位置に切換手段を配置することで、止水するようしてもよい。このような構成とすることで、蛇口等で配水と止水を操作することなく、手元の切換コックを操作することで行うことができる。
【符号の説明】
【０１３３】
１、１Ａ…切換コック  
２、２'…切換手段  
３、３'…第１筒状体  
４…第２筒状体  
５…底部  
６、６'…第１流路  
７…第２流路  
７ａ…短流路  
７ｂ…筒状の壁  
８、８'…第１流入口  
９…第１流出口  
１０、１０'…第２流入口  
１１、１１'…第２流出口  
１２…回転軸  
１３、１３'…支持体  
１４、１４'…第１開口  
１５…第２開口  
１６…フランジ部  
１７、１７'…外装体  
１８、１８'…注入路  
１８Ａ…第１注入路
１８Ｂ…第２注入路
１９…第１配水路  
１９'…配水路
２０…第２配水路  
２１、２１'…注入口  
２２…上部連通口  
２３…下部連通口  
２４…第１配水口  
２４'…配水口
２５、２５'…側部連通口  
２６…第２配水口  
２７…操作手段  
２８…弁座パッキン  
２８ｄ…開口  
２９…取付手段  
２９Ａ、２９Ｂ…通水管
３０…固定ボルト  
３１…袋ナット  
３２…固定手段  
３３…ロックスプリング  
３４ａ、３４ｂ…金属製のボール  
３５…警告弁  
３６…警告弁キャップ  
３６ａ…ピン止め孔  
３７…警告弁スプリング  
３８…シリコンボール  
３９…スプリングピン  
４０…キャップ  
Ｂ１〜Ｂ４…ボルト  
Ｒ１〜Ｒ５…Ｏリング  
【図１】
2011027198.tif 000003
【図２】
2011027198.tif 000004
【図３】
2011027198.tif 000005
【図４】
2011027198.tif 000006
【図５】
2011027198.tif 000007
【図６】
2011027198.tif 000008
【図７】
2011027198.tif 000009
【図８】
2011027198.tif 000010
【図９】
2011027198.tif 000011
【図１０】
2011027198.tif 000012
【図１１】
2011027198.tif 000013
【図１２】
2011027198.tif 000014
【図１３】
2011027198.tif 000015
【図１４】
2011027198.tif 000016
【図１５】
2011027198.tif 000017
【図１６】
2011027198.tif 000018
【図１７】
2011027198.tif 000019
【図１８】
2011027198.tif 000020
【図１９】
2011027198.tif 000021
【図２０】
2011027198.tif 000022
【図２１】
2011027198.tif 000023
【図２２】
2011027198.tif 000024
【図２３】
2011027198.tif 000025